(57)【要約】【課題】点検時期を的確に表示することが出来る燃焼装置を提供する。【解決手段】  バーナ２と、該バーナの着火、失火検知するフレームロッド１８と、装置内の高温となる箇所の温度を検知する温度センサ１９と、表示部２６と、フレームロッド１８が着火を検知すると計時を開始し、消火を検知すると計時を停止する計時部２７と、計時部２７が計時を開始して所定時間を計時した時、温度センサ１９が検知した温度を加算値を積算値に加算して積算値を更新する積算部２９と、積算部２９が更新した積算値を記憶すると共に、更新した積算値が所定値に達すると、点検信号を出力する記憶部３０とを備えたので、燃焼装置の劣化具合に合わせ点検すべき時期に点検表示を行うことが出来るものである。【選択図】  図３
2018054187.tif 000002
【特許請求の範囲】
【請求項１】
燃油を燃焼させ燃焼ガスを生じさせるバーナと、該バーナの着火、失火および異常燃焼等を検知するフレームロッドと、装置内の高温となる箇所の温度を検知する温度センサと、暖房運転のオン／オフ状態や警報や異常等の各種情報を表示する表示部と、前記フレームロッドが着火を検知すると計時を開始し、消火を検知すると計時を停止する計時部と、該計時部が計時を開始して所定時間を計時した時、前記温度センサが検知した温度を加算値を積算値に加算して積算値を更新する積算部と、該積算部が更新した積算値を記憶すると共に、更新した積算値が所定値に達すると、点検信号を出力する記憶部とを備えた燃焼装置。
【請求項２】
燃油を燃焼させ燃焼ガスを生じさせるバーナと、該バーナの着火、失火および異常燃焼等を検知するフレームロッドと、装置内の高温となる箇所の温度を検知する温度センサと、暖房運転のオン／オフ状態や警報や異常等の各種情報を表示する表示部と、前記フレームロッドが着火を検知すると計時を開始し、消火を検知すると計時を停止する計時部と、該計時部が計時を開始して所定時間を計時した時、前記温度センサが検知した温度により加算値を決定する判定部と、該判定部が決定した加算値を積算値に加算して積算値を更新する積算部と、該積算部が更新した積算値を記憶すると共に、更新した積算値が所定値に達すると、点検信号を出力する記憶部とを備えた燃焼装置。
【請求項３】
前記温度センサはバーナの温度を検知することを特徴とする請求項１及び請求項２記載の燃焼装置。
【請求項４】
前記燃焼装置はバーナでの燃焼ガスと空気又は媒体との熱交換を行う熱交換器を備え、前記温度センサは熱交換器の温度を検知することを特徴とする請求項１及び請求項２記載の燃焼装置。
【発明の詳細な説明】
【技術分野】
【０００１】
本発明は、石油暖房機等の燃焼装置に関するものである。
【背景技術】
【０００２】
従来、この種のものに於いては、燃油等の燃料を燃焼させて暖房運転を行うが、使用年数が長くなってくると燃焼装置に変形や劣化が生じ、そのまま使用していると正常な運転が出来なくなる可能性がある。
そこで燃焼装置に不具合が発生する前に定期点検を実施することで交換が必要な部品は交換して引き続き安全に使用してもらうために、燃焼時間又は燃焼回数を積算し、その積算値に応じて定期点検を促すものがあった。（例えば、特許文献１参照。）
【先行技術文献】
【特許文献】
【０００３】
【特許文献１】特開平１１−２４８１５４号
【発明の概要】
【発明が解決しようとする課題】
【０００４】
ところで、この従来のものでは、燃焼時間又は燃焼回数を積算し、その積算値が所定値に達すると定期点検を促すものであるが、燃焼時の火力の大きさや暖房運転の停止と開始の繰り返し頻度によって燃焼装置の変形や劣化の進み具合が異なるため、積算値が所定値に達する前に点検が必要な状態になったり、逆に積算値が所定値に達して定期点検を促し、定期点検を行ったが部品交換が全く必要がなく、定期点検がもっと後でもよい状態であったりして、定期点検を促す時と燃焼装置の状態とに大きなずれが生じる可能性があった。
【課題を解決するための手段】
【０００５】
上記課題を解決するために、本発明の請求項１では、燃油を燃焼させ燃焼ガスを生じさせるバーナと、該バーナの着火、失火および異常燃焼等を検知するフレームロッドと、装置内の高温となる箇所の温度を検知する温度センサと、暖房運転のオン／オフ状態や警報や異常等の各種情報を表示する表示部と、前記フレームロッドが着火を検知すると計時を開始し、消火を検知すると計時を停止する計時部と、該計時部が計時を開始して所定時間を計時した時、前記温度センサが検知した温度を加算値を積算値に加算して積算値を更新する積算部と、該積算部が更新した積算値を記憶すると共に、更新した積算値が所定値に達すると、点検信号を出力する記憶部とを備えたものである。
【０００６】
また、請求項２では、燃油を燃焼させ燃焼ガスを生じさせるバーナと、該バーナの着火、失火および異常燃焼等を検知するフレームロッドと、装置内の高温となる箇所の温度を検知する温度センサと、暖房運転のオン／オフ状態や警報や異常等の各種情報を表示する表示部と、前記フレームロッドが着火を検知すると計時を開始し、消火を検知すると計時を停止する計時部と、該計時部が計時を開始して所定時間を計時した時、前記温度センサが検知した温度により加算値を決定する判定部と、該判定部が決定した加算値を積算値に加算して積算値を更新する積算部と、該積算部が更新した積算値を記憶すると共に、更新した積算値が所定値に達すると、点検信号を出力する記憶部とを備えたものである。
【０００７】
また、請求項３では、前記温度センサはバーナの温度を検知するものである。
【０００８】
また、請求項４では、前記燃焼装置はバーナでの燃焼ガスと空気又は媒体との熱交換を行う熱交換器を備え、前記温度センサは熱交換器の温度を検知するものである。
【発明の効果】
【０００９】
この発明の請求項１によれば、燃油を燃焼させ燃焼ガスを生じさせるバーナと、該バーナの着火、失火および異常燃焼等を検知するフレームロッドと、装置内の高温となる箇所の温度を検知する温度センサと、暖房運転のオン／オフ状態や警報や異常等の各種情報を表示する表示部と、前記フレームロッドが着火を検知すると計時を開始し、消火を検知すると計時を停止する計時部と、該計時部が計時を開始して所定時間を計時した時、前記温度センサが検知した温度を加算値を積算値に加算して積算値を更新する積算部と、該積算部が更新した積算値を記憶すると共に、更新した積算値が所定値に達すると、点検信号を出力する記憶部とを備えたので、単純に所定時間毎の検知温度を積算するだけでよく、火力が小さくて温度が低い状態での燃焼が続けば点検表示までの期間が長くなり、火力が大きくて温度が高い状態での燃焼が続けば点検表示までの期間が短くなり、燃焼装置の劣化具合に合わせ点検すべき時期に点検表示を行うことが出来るものである。
【００１０】
又、請求項２によれば、燃油を燃焼させ燃焼ガスを生じさせるバーナと、該バーナの着火、失火および異常燃焼等を検知するフレームロッドと、装置内の高温となる箇所の温度を検知する温度センサと、暖房運転のオン／オフ状態や警報や異常等の各種情報を表示する表示部と、前記フレームロッドが着火を検知すると計時を開始し、消火を検知すると計時を停止する計時部と、該計時部が計時を開始して所定時間を計時した時、前記温度センサが検知した温度により加算値を決定する判定部と、該判定部が決定した加算値を積算値に加算して積算値を更新する積算部と、該積算部が更新した積算値を記憶すると共に、更新した積算値が所定値に達すると、点検信号を出力する記憶部とを備えたので、装置内の高温となる箇所の高温化による劣化の度合いを温度幅毎に設定し、その温度幅毎に加算値を設定するので、高温化による劣化の度合いを正確に積算することが出来、火力が小さくて温度が低い状態での燃焼が続けば点検表示までの期間が長くなり、火力が大きくて温度が高い状態での燃焼が続けば点検表示までの期間が短くなり、燃焼装置の劣化具合に合わせ点検すべき時期に点検表示を正確に行うことが出来るものである。
【００１１】
又、請求項３によれば、温度センサはバーナの温度を検知するので、装置内で最も高温となるバーナの高温化により劣化の度合いを正確に積算することが出来、バーナの劣化具合に合わせ点検すべき時期に点検表示を正確に行うことが出来るものである。
【００１２】
又、請求項４によれば、燃焼装置にバーナでの燃焼ガスと空気又は媒体との熱交換を行う熱交換器を備えていた場合、前記温度センサは熱交換器の温度を検知するので、高温の燃焼ガスにさらされて高温となる熱交換器の劣化の度合いを正確に積算することが出来、熱交換器の劣化具合に合わせ点検すべき時期に点検表示を正確に行うことが出来るものである。
【図面の簡単な説明】
【００１３】
【図１】この発明の一実施形態を示す燃焼装置の概略構成図。
【図２】同ブロック図。
【図３】同点検表示動作を説明するフローチャート図。
【発明を実施するための形態】
【００１４】
次に、この発明の一実施形態を図１及び図２に基づいて説明する。
１は燃油を燃焼させ燃焼ガスを生じさせるポット式燃焼器で、有底筒状に形成されたポットバーナ２と、該ポットバーナ２に燃油を供給する燃油供給部としての電磁ポンプ３、供給パイプ４および噴射パイプ５と、燃油の予熱および点火を行う点火ヒータ（ヒータ）６と、ポットバーナ２に空気を供給する燃焼ファン７とを有している。
【００１５】
前記ポットバーナ２は有底円筒状に形成され、その周壁には円形の貫通孔である一次空気孔８及び二次空気孔９が多数穿孔されている。
又、ポットバーナ２の外周は外筒１０で囲まれ、両者間に空気室１１が形成されている。
前記燃焼ファン７は、空気室１１を介し、一次、二次空気孔８，９を通して空気をポットバーナ２内に供給する。
１２は整炎筒で、ポットバーナ２内の中央部に固定され、気化ガスと燃焼空気との混合を促進する。
１３は気化アミで、耐熱性のステンレス細線を畳織し毛細管現象を発生するようにしたものであり、ポットバーナ２の底面中央部に固定されている。
【００１６】
前記点火ヒータ６は、棒状のセラミックヒータで構成され、ポットバーナ２の周壁から気化アミ１３の上方に向かって突出しており、この点火ヒータ６は、燃油を予熱し気化させる機能と、気化した燃油を点火する機能とを併せ持っている。  前記噴射パイプ５は、ポットバーナ２内に向かって下り傾斜した細径のパイプによって構成され、燃油が供給されると、該燃油を気化アミ１３に向かって噴射する。
１４は保護筒で、噴射パイプ５の周囲を覆うような円筒状に形成されており、前記保護筒１４の一端は外筒１０に固定され、他端はポットバーナ２の側壁を貫通し、その内部に露出している。
【００１７】
１５はオイルレベラで、燃油タンク（図示せず）から燃油が供給されると、その油面を一定レベルに保持する。
１６は上蓋で、オイルレベラ１５の上面を覆っており、電磁ポンプ３は、上蓋１６に固定され、オイルレベラ１５内の燃油を、供給パイプ４および噴射パイプ５を介してポットバーナ２内に供給する。
１７は吸引ポンプで、上蓋１６上に電磁ポンプ３に並設して固定され、電磁ポンプ３と供給パイプ４との間に介挿されており、この吸引ポンプ１７は、消火時において消火時間を短縮するために、供給パイプ４および噴射パイプ５に残留した燃油を吸引しオイルレベラ１５に戻すものである。
【００１８】
１８はフレームロッドで、燃焼時の燃焼火炎内に位置するように、ポットバーナ２内に垂下され、着火、失火および異常燃焼等を検知する。
１９は温度センサで、ポットバーナ２の底部の温度を検出するものであり、サーミスタによって構成され、ポットバーナ２の底部裏側に接触して固定されている。
２０は回転計で、燃焼ファン７の回転速度を計測するものである。
【００１９】
２１は燃焼筒で、ポット式燃焼器１で燃油を燃焼させて生じさせた燃焼ガスによって金属筒を赤熱させ放射暖房を行うもので、該燃焼筒２１から排気されたガスと居室の空気との熱交換を対流ファン２２にて行うものである。
２３は室温センサで、室内の温度を検知するものである。
【００２０】
２４は制御部で、マイコンを主体として構成され、ポット式燃焼器１での燃焼動作及びそれによる暖房運転を制御するである。
２５は操作部で、暖房運転のオン／オフ状態を指示する運転スイッチ（図示せず）や、所望の室温を設定する室温設定スイッチ（図示せず）等各種の操作スイッチを有するものである。
【００２１】
２６は表示部で、暖房運転のオン／オフ状態や、室温設定スイッチにて設定した設定温度や、室温センサ２３で検知した室温や、警報や異常等の各種情報を表示するものである。
２７は計時部で、制御部２４からの計時開始信号の入力により計時を開始すると共に、制御部２４からの計時停止信号の入力により計時を停止し、計時を開始して所定時間を計時すると制御部２４に計時信号を出力し、制御部２４からのリセット信号の入力又は、計時を開始して所定時間を計時したとき、計時時間をリセットするものである。
【００２２】
２８は判定部で、計時部２７が所定時間を計時して計時信号を出力すると、制御部２４より判定信号が判定部２８に出力され、該判定部２８は判定信号が入力されると、温度センサ１９で検知しているポットバーナ２の底部の温度に基づいて加算値を判定し、制御部２４に加算値を出力する。
【００２３】
２９は積算部で、判定部２８から加算値が制御部２４に出力されると、その加算値が制御部２４から積算部２９に出力され、該積算部２９は記憶部３０が記憶している積算値に、制御部２４から積算部２９に出力された加算値を加算して積算値を更新し、その更新した積算値を制御部２４に出力し、制御部２４は更に記憶部３０に更新した積算値を出力する。
【００２４】
前記記憶部３０は、更新した積算値が制御部２４より入力すると、記憶していた積算値を更新した積算値に記憶し直し、その記憶し直した積算値が所定値に達すると、制御部２４に点検信号を出力するものである。
【００２５】
次にこの燃焼装置の制御について図３のフローチャート図に基づいて説明する。
まず操作部２５の運転スイッチがＯＮ操作されると（Ｓ１）、制御部２４は燃焼を開始するために着火動作を実施し（Ｓ２）、フレームロッド１８により着火が検知されると（Ｓ３）、制御部２４は計時部２７に計時を開始させる。（Ｓ４）
【００２６】
又、（Ｓ３）で着火が検知されないと、制御部２４は運転スイッチがＯＦＦ操作されたかを確認し（Ｓ５）、運転スイッチがＯＦＦ操作されていなければ（Ｓ２）に戻り、運転スイッチがＯＦＦ操作されていれば、制御部２４は消火動作に入る。（Ｓ６）
そして次に制御部２４は消火されたかを確認し（Ｓ７）、消火されたのを確認すると（Ｓ１）に戻り、消火されたのを確認できないと（Ｓ６）に戻るものである。
【００２７】
（Ｓ４）で計時部２７の計時が開始されると、制御部２４は予め定めた所定時間と計時部２７が計時している計時時間とを比較する。（Ｓ８）
本実施例では予め定めた所定時間を１時間に設定している。
計時部２７の計時時間が所定時間以上になると、制御部２４は温度センサ１９が検出するポットバーナ２の底部の温度により記憶部３０が記憶している積算値に加算する加算値を決定するため、判定部２８がまず温度センサ１９の検出温度が２２０℃未満かを判断し（Ｓ９）、温度センサ１９の検出温度が２２０℃未満の場合、燃焼により燃焼装置の劣化はほとんどないと判断して加算値を０に決定する。（Ｓ１０）
【００２８】
（Ｓ９）で温度センサ１９の検出温度が２２０℃未満ではない場合、次に判定部２８は温度センサ１９の検出温度が２２０℃以上２６０℃未満かを判断し（Ｓ１１）、温度センサ１９の検出温度が２２０℃以上２６０℃未満の場合、燃焼により燃焼装置の劣化は多少あると判断して加算値を１に決定する。（Ｓ１２）
【００２９】
（Ｓ１１）で温度センサ１９の検出温度が２２０℃以上２６０℃未満ではない場合、次に判定部２８は温度センサ１９の検出温度が２６０℃以上３００℃未満かを判断し（Ｓ１３）、温度センサ１９の検出温度が２６０℃以上３００℃未満の場合、燃焼により燃焼装置の劣化はほどほどあると判断して加算値を２に決定する。（Ｓ１４）  
【００３０】
又、（Ｓ１３）温度センサ１９の検出温度が２６０℃以上３００℃未満ではない場合、判定部２８は燃焼により燃焼装置が高温となり燃焼により燃焼装置の劣化はかなりあると判断して加算値を４に決定する。（Ｓ１５）
【００３１】
そして判定部２８により加算値が決定すると、積算部２９は記憶部３０が記憶している積算値に決定した加算値を加算して積算値を更新し（Ｓ１６）、記憶部３０が積算値をその更新した積算値に記憶し直すものである。（Ｓ１７）
【００３２】
そして記憶部３０は、記憶している積算値が所定値に達すると、制御部２４に点検信号を出力し（Ｓ１８）、記憶している積算値が所定値に達しないときは、後述する（Ｓ２１）に進むものである。
そして制御部２４は、その点検信号が入力されると点検時期に達したと判断して（Ｓ１９）、表示部２６に点検を表示する。
本実施例では前記所定値を８００００に設定しており、これは加算値４の状態が年で２５００時間で計８年間運転した状態を想定しているものである。
【００３３】
そして制御部２４は、運転スイッチがＯＦＦ操作されたかを確認し（Ｓ２１）、運転スイッチがＯＦＦ操作されていなければ、計時部２７の計時時間をリセット（Ｓ２２）してから（Ｓ４）に戻り、運転スイッチがＯＦＦ操作されていれば、制御部２４は消火動作に入り（Ｓ２３）、次に制御部２４は消火されたかを確認し（Ｓ２４）、消火されたのを確認できないと（Ｓ２３）に戻り、消火されたのを確認すると、計時部２７の計時を停止してから（Ｓ２５）、計時部２７の計時時間をリセットして（Ｓ２６）、（Ｓ１）に戻るものである。
【００３４】
又、（Ｓ８）で計時部２７の計時時間が所定時間未満のときは、次に制御部２４は、運転スイッチがＯＦＦ操作されたかを確認し（Ｓ２７）、運転スイッチがＯＦＦ操作されていなければ（Ｓ８）に戻り、運転スイッチがＯＦＦ操作されていれば（Ｓ２３）に戻るものである。
【００３５】
尚、本実施例では温度センサ１９でポットバーナ２の底部の温度を検出し、そのポットバーナ２の底部の温度によって燃焼装置の劣化具合を判断して積算値を積算したがこれに限定されず、バーナ温度を検知する温度センサーを設けてその検知温度によって燃焼装置の劣化具合を判断して積算値を積算してもよいし、装置内に熱交換器部があればその熱交換器温度を検知する温度センサーを設けてその検知温度によって燃焼装置の劣化具合を判断して積算値を積算してもよいものであり、つまりは装置内に高温となる部品や箇所があればそこの温度を検知する温度センサーを設けてその検知温度によって燃焼装置の劣化具合を判断して積算値を積算すればよいものである。
【００３６】
本実施例では予め定めた所定時間を１時間に設定しているがこれに限定されず、３０分や１０分に設定し、それに合わせて記憶している積算値と比較する所定値を変更してもよい。
これにより燃焼時間が短くても積算値に加算値が加算されるので、加算されない燃焼時間が少なくなって、より点検表示を正確にできるものである。
【００３７】
又、本実施例ではポット式燃焼器１の温度を検知して加算値を決定していたがこれに限定されず、装置内に熱交換器が設けられていれば、ポット式燃焼器１と
熱交換器の両方を検知して各々加算値を決定し、どちらかの積算値が所定値に達したら点検表示を行うようにしてもよい。
つまり装置内に高温となる箇所が複数有る場合、そのいずれかが点検時期になったら点検表示できるものである。
【００３８】
以上のように高温となるポット式燃焼器１の温度による劣化度合いを定数化して所定時間毎に積算し、その積算値が所定値に達したとき点検表示を行うので、火力が小さくて温度が低い状態での燃焼が続けば点検表示までの期間が長くなり、火力が大きくて温度が高い状態での燃焼が続けば点検表示までの期間が短くなり、燃焼装置の劣化具合に合わせた点検表示を行うことが出来るものである。
【符号の説明】
【００３９】
２  ポットバーナ
１８  フレームロッド
１９  温度センサ
２６  表示部
２７  計時部
２８  判定部
２９  積算部
３０  記憶部
【図１】
2018054187.tif 000003
【図２】
2018054187.tif 000004
【図３】
2018054187.tif 000005